(57)【要約】【課題】装置の使用状態時における装置全体の外観の向上を原稿の取り出し易さを担保しつつ図ることができる画像読取装置及びそうした画像読取装置を含む複合機を提供する。【解決手段】画像読取装置１３は、原稿Ｄが載置される第１載置部２６と、第１載置部から原稿を給送する給送部２７と、給送部により給送された原稿から画像を読み取る画像読取部２８と、画像読取部から原稿を第１載置部とは反対側に排出する排出部２９と、排出部により排出された原稿が載置される第２載置部３０と、給送部による第１載置部から画像読取部への原稿の給送及び排出部による画像読取部から第２載置部への原稿の排出を可能とする装置の使用状態において第１載置部及び第２載置部の側方を非露出状態に覆う外装部材４６と、を備え、外装部材において排出部による第２載置部に対する原稿の排出方向の下流側に位置する部位の上端縁には切欠部４７が設けられている。【選択図】図３
2017118458.tif 000002
【特許請求の範囲】
【請求項１】
原稿が載置される第１載置部と、
前記第１載置部から前記原稿を給送する給送部と、
前記給送部により給送された前記原稿から画像を読み取る画像読取部と、
前記画像読取部から前記原稿を前記第１載置部とは反対側に排出する排出部と、
前記排出部により排出された前記原稿が載置される第２載置部と、
前記給送部による前記第１載置部から前記画像読取部への前記原稿の給送及び前記排出部による前記画像読取部から前記第２載置部への前記原稿の排出を可能とする装置の使用状態において前記第１載置部及び前記第２載置部の側方を非露出状態に覆う外装部材と、
を備え、
前記外装部材において前記排出部による前記第２載置部に対する前記原稿の排出方向の下流側に位置する部位の上端縁には切欠部が設けられていることを特徴とする画像読取装置。
【請求項２】
前記第２載置部は前記原稿が載置される載置面を有し、前記載置面において前記排出方向の下流側となる部位には、前記載置面から下方に凹んだ形状の凹み部が前記切欠部と前記排出方向において連なるように形成されていることを特徴とする請求項１に記載の画像読取装置。
【請求項３】
前記第２載置部の前記載置面は前記排出方向の下流側に向かって上り勾配となるように傾斜していることを特徴とする請求項２に記載の画像読取装置。
【請求項４】
前記第２載置部の前記載置面を第２載置面としたとき、前記第１載置部は前記原稿が載置される載置面として第１載置面を有し、前記第１載置面において前記給送部による前記画像読取部に対する前記原稿の給送方向で上流側の端部は、前記第２載置面と同様の上り勾配となるように傾斜していることを特徴とする請求項２又は請求項３に記載の画像読取装置。
【請求項５】
前記第１載置部には、前記第１載置面において前記画像読取部に対する前記原稿の給送方向で上流側の端部を更に上流側に延長するために変位可能な補助載置部が設けられていることを特徴とする請求項４に記載の画像読取装置。
【請求項６】
前記第２載置部の前記載置面において前記排出部による前記第２載置部に対する前記原稿の排出方向で最も下流側に位置する面部位は、前記外装部材において前記排出部による前記第２載置部に対する前記原稿の排出方向の下流側に位置する部位の上端縁に対し、その上端縁と同じ高さで繋がっていることを特徴とする請求項２〜請求項５のうち何れか一項に記載の画像読取装置。
【請求項７】
請求項１〜請求項６のうちいずれか一項に記載の画像読取装置と、
媒体に記録材を付着させて記録を行う記録装置とを備えることを特徴とする複合機。
【発明の詳細な説明】
【技術分野】
【０００１】
本発明は、給送された原稿の画像を読み取る画像読取装置及びそのような画像読取装置を含む複合機に関する。
【背景技術】
【０００２】
従来から、液体の一例であるインクを媒体に吐出して記録を行う記録装置の上に原稿の画像を読み取る画像読取装置を載置した複合機が知られている。また、そのような複合機が備える画像読取装置として、画像を読み取る画像読取部に対して原稿を自動的に給送する自動給送機能を備えたものがある。こうした画像読取装置には、読み取り前原稿が載置される第１載置部と、第１載置部から画像読取部に原稿を給送する給送部と、画像読取部から読み取り後原稿を排出する排出部と、排出部により排出された読み取り後原稿が載置される第２載置部と、が設けられている（例えば特許文献１）。
【先行技術文献】
【特許文献】
【０００３】
【特許文献１】特開２０１５−７０４１４号公報
【発明の概要】
【発明が解決しようとする課題】
【０００４】
ところで、従来の画像読取装置では、その周囲に所定高さの周壁が立設されると共に、その周壁の内側において第１載置部と第２載置部が一体的に回動する構成とされている。そして、装置の不使用時には、第１載置部と第２載置部が画像読取装置の周壁よりも低くなる収納位置に保持されることで、装置全体の外観を向上させていた。
【０００５】
その一方、装置の使用時には、第１載置部と第２載置部が収納位置から一体的に回動され、それらの一部が画像読取装置の周壁よりも斜め上方に延びて外部に露出した状態となる。すなわち、装置の使用状態では、第１載置部の下側に位置する第２載置部からの原稿の取り出し易さも求められるため、特に、第２載置部の端部を画像読取装置の周壁よりも斜め上方に大きく突出させていた。
【０００６】
しかしながら、そのように第２載置部の端部が斜め上方に向けて大きく突出した状態であると、装置全体の外観を損ねてしまうことにもなる。そのため、この点で、装置の使用状態時における装置全体の外観の向上を原稿の取り出し易さを担保しつつ図ることが希求されていた。
【０００７】
本発明は、こうした実情に鑑みてなされたものであり、その目的は、装置の使用状態時における装置全体の外観の向上を原稿の取り出し易さを担保しつつ図ることができる画像読取装置及びそのような画像読取装置を含む複合機を提供することにある。
【課題を解決するための手段】
【０００８】
以下、上記課題を解決するための手段及びその作用効果について記載する。
上記課題を解決する画像読取装置は、原稿が載置される第１載置部と、前記第１載置部から前記原稿を給送する給送部と、前記給送部により給送された前記原稿から画像を読み取る画像読取部と、前記画像読取部から前記原稿を前記第１載置部とは反対側に排出する排出部と、前記排出部により排出された前記原稿が載置される第２載置部と、前記給送部による前記第１載置部から前記画像読取部への前記原稿の給送及び前記排出部による前記画像読取部から前記第２載置部への前記原稿の排出を可能とする装置の使用状態において前記第１載置部及び前記第２載置部の側方を非露出状態に覆う外装部材と、を備え、前記外装部材において前記排出部による前記第２載置部に対する前記原稿の排出方向の下流側に位置する部位の上端縁には切欠部が設けられている。
【０００９】
この構成によれば、装置の使用状態において、第１載置部及び第２載置部は外装部材により側方を覆われて非露出状態とされるため装置全体の外観を損なうようなこともない。また、その装置の使用状態において、第２載置部に排出された原稿は外装部材に設けられた切欠部から手を差し入れることにより、第２載置部から容易に取り出し可能とされる。したがって、装置の使用状態時における装置全体の外観の向上を原稿の取り出し易さを担保しつつ図ることができる。
【００１０】
また、上記画像読取装置において、前記第２載置部は前記原稿が載置される載置面を有し、前記載置面において前記排出方向の下流側となる部位には、前記載置面から下方に凹んだ形状の凹み部が前記切欠部と前記排出方向において連なるように形成されていることが好ましい。
【００１１】
この構成によれば、切欠部から差し入れた手の指先を凹み部まで更に差し入れることができ、第２載置部の載置面に載置されている原稿を更に容易に取り出すことができる。
また、上記画像読取装置において、前記第２載置部の前記載置面は前記排出方向の下流側に向かって上り勾配となるように傾斜していることが好ましい。
【００１２】
この構成によれば、排出部により第２載置部に向けて排出された原稿は、載置面が上り勾配となるように傾斜しているため、載置面が水平である場合よりも、載置面から排出方向の下流側に飛び出す虞を低減できる。
【００１３】
また、上記画像読取装置において、前記第２載置部の前記載置面を第２載置面としたとき、前記第１載置部は前記原稿が載置される載置面として第１載置面を有し、前記第１載置面において前記給送部による前記画像読取部に対する前記原稿の給送方向で上流側の端部は、前記第２載置面と同様の上り勾配となるように傾斜していることが好ましい。
【００１４】
例えば原稿の長さが長くて、その原稿の端部が第１載置部の第１載置面の端部から下方に垂れた場合、その垂れた原稿の端部が第２載置面に接触する可能性がある。そのような場合において、その原稿を第１載置部から画像読取部へ給送すると、その給送時に負荷が加わるため、画像読取精度に悪影響を与える虞がある。この点、上記の構成によれば、原稿の長さが長くて、その原稿の端部が第１載置部の第１載置面の端部から下方に垂れた場合でも、第１載置面の端部が上り勾配となるように傾斜しているため、その端部が水平である場合よりは、その原稿の垂れた端部が下方に位置する第２載置部の第２載置面に接触する虞を低減できる。
【００１５】
また、上記画像読取装置において、前記第１載置部には、前記第１載置面において前記画像読取部に対する前記原稿の給送方向で上流側の端部を更に上流側に延長するために変位可能な補助載置部が設けられていることが好ましい。
【００１６】
この構成によれば、第１載置部に載置される原稿の長さが第１載置面の長さよりも長い場合には、補助載置部を変位させることにより載置面を延長できる。そのため、第１載置部に載置された長い原稿の端部が第２載置部側に垂れる虞を低減できる。
【００１７】
また、上記画像読取装置において、前記第２載置部の前記載置面において前記排出部による前記第２載置部に対する前記原稿の排出方向で最も下流側に位置する面部位は、前記外装部材において前記排出部による前記第２載置部に対する前記原稿の排出方向の下流側に位置する部位の上端縁に対し、その上端縁と同じ高さで繋がっていることが好ましい。
【００１８】
この構成によれば、排出部により第２載置部に排出されて載置面に載置されている原稿を第２載置部から取り出す際において、原稿が外装部材の上端縁に引っ掛かることを抑制できる。
【００１９】
上記課題を解決する複合機は、上記構成の画像読取装置と、媒体に記録材を付着させて記録を行う記録装置とを備える。
この構成によれば、複合機において、上記構成の画像読取装置の場合と同様の作用効果を享受できる。
【図面の簡単な説明】
【００２０】
【図１】画像読取装置と記録装置を含む複合機の斜視図。
【図２】複合機の平面図。
【図３】図２における３−３線矢視断面図。
【図４】補助載置部が展開位置にある状態の画像読取装置の平面図。
【図５】補助載置部が展開位置にある状態の画像読取装置の正面図。
【図６】図４における６−６線矢視断面図。
【図７】第１変形例における載置部の概略構造を模式的に示す一部破断正面図。
【図８】第１変形例における載置部の概略構造を模式的に示す一部破断正面図。
【図９】第２変形例における載置部の概略構造を模式的に示す一部破断正面図。
【図１０】第２変形例における載置部の概略構造を模式的に示す一部破断正面図。
【図１１】第３変形例における載置部の概略構造を模式的に示す一部破断正面図。
【図１２】第３変形例における載置部の概略構造を模式的に示す一部破断正面図。
【発明を実施するための形態】
【００２１】
以下、画像読取装置と記録装置を含む複合機の一実施形態について図面を参照して説明する。なお、本実施形態における記録装置は、例えば記録材の一例であるインクを媒体の一例である用紙に吐出することにより記録を行うインクジェット式のプリンターで構成されている。
【００２２】
図１に示すように、複合機１１は、記録機能を有する記録装置１２と画像読取機能を有する画像読取装置１３とを備えている。記録装置１２は、直方体状の筐体１４を有し、その筐体１４の上に画像読取装置１３が配置されている。なお、記録装置１２の筐体１４と画像読取装置１３とは上方から平面視した場合の形状がほぼ一致している。記録装置１２は筐体１４内には、搬送される用紙に対してインクを吐出することにより記録を行う記録ヘッド等の記録部（図示略）が設けられている。
【００２３】
記録装置１２における筐体１４の前面上部寄りで左右方向のほぼ中央となる位置には、複合機１１における各種動作を操作するための操作部１５が設けられている。操作部１５は、例えば電源ボタン１６やタッチパネル方式の液晶表示画面１７等を有し、手前側となる前面側から正面視した場合に横長の矩形状となる形状をしている。
【００２４】
また、記録装置１２における筐体１４の前面側において操作部１５の下側となる位置には、記録装置１２の筐体１４内で記録された用紙Ｐを前方側に排出する矩形の排出口１８が開口している。排出口１８の下からは、排出口１８から排出される用紙Ｐを支持する排出トレイ１９が排出方向である前後方向にスライド移動可能に設けられている。そして、筐体１４の前面における排出トレイ１９の下側にはカセット装着部２０が設けられ、そのカセット装着部２０には、印刷に用いる複数枚の用紙Ｐを積層状態で収容可能な給紙カセット２１が前後方向への挿抜自在に装着されている。
【００２５】
図１〜図３に示すように、画像読取装置１３は、原稿Ｄを定置可能なフラットベッド型の原稿台２２（図３参照）を上部に有する装置本体２３と、装置本体２３の原稿台２２を覆う閉じ位置と開放する開き位置との間を開閉可能な原稿台カバー２４とを備えている。そして、原稿台カバー２４において閉じ位置で原稿台２２と対向する側とは反対側となる背面側には自動原稿給送装置として機能するＡＤＦ(Auto Document Feeder)２５が装備されている。ＡＤＦ２５は、原稿Ｄを載置可能な第１載置部２６と、第１載置部２６から原稿Ｄを給送する給送部２７と、給送部２７により給送された原稿Ｄから画像を読み取る画像読取部２８と、画像読取部２８から原稿Ｄを第１載置部２６とは反対側に排出する排出部２９と、排出部２９により排出された原稿Ｄが載置される第２載置部３０と、を備えている。
【００２６】
第１載置部２６は、その上面のほぼ全体が斜面状をなす第１載置面３１に形成されており、第１載置面３１上には少なくとも一枚の画像読取り前の原稿Ｄが載置される。なお、図２に示すように、第１載置面３１における幅方向（図２では上下方向）の一端部（図２では上端部）には、原稿Ｄの一端が位置合わせされる固定ガイド３１ａが設けられ、その幅方向の他端部（図２では下端部）には、原稿Ｄの他端が位置合わせされる可動ガイド３１ｂが設けられている。
【００２７】
また、第１載置部２６において斜面状をなす第１載置面３１の最も高い箇所（図３において右端部）には、プレート状をなす補助載置部３２が回動変位自在に取り付けられている。すなわち、補助載置部３２は、その平面状の一面３２ａが上側を向いて水平方向に沿う通常位置（図１〜図３の位置）と、その一面３２ａとは反対側の他面３２ｂが斜め上方を向いた状態で第１載置面３１と連続して第１載置面３１を画像読取部２８に対する原稿Ｄの給送方向の上流側に延長する展開位置（図４〜図６の位置）との間で変位する。
【００２８】
図３に示すように、給送部２７は、第１載置部２６から画像読取部２８まで給送される原稿Ｄの通路となる湾曲した給送経路３３を有し、給送経路３３の途中には分離ローラー３４と中継ローラー３５と複数の給送ローラー３６が設けられている。分離ローラー３４は、第１載置部２６から画像読取部２８に向けて複数枚の原稿Ｄが重なって給送されそうな場合に、それらの原稿Ｄを一枚ずつに分離する。中継ローラー３５と給送ローラー３６は、分離ローラー３４により重なり状態から分離された原稿Ｄを一枚ずつ画像読取部２８に給送する。
【００２９】
画像読取部２８は、装置本体２３内に副走査方向（図３では左右方向）に沿って延びるように設けられたレール３７と、そのレール３７に沿って往復移動可能なキャリッジ３８と、そのキャリッジ３８に対して上向き状態に支持されたイメージセンサー３９とを有している。レール３７の上方を覆うように装置本体２３の上部に設けられた原稿台２２は、平板状の透明ガラスからなり、その上面には原稿台カバー２４を開き位置にすることにより原稿Ｄを載置可能とされる。そして、その場合には、原稿台カバー２４において原稿台２２と対向する側に設けられた白板部４０で押さえられた原稿Ｄからイメージセンサー３９がキャリッジ３８と共に副走査方向に移動しながら画像を読取可能とされる。
【００３０】
また、図３に示すように、装置本体２３の上部において原稿台２２から水平方向の一方側（図３では左側）に外れた箇所には、原稿台２２よりも副走査方向において幅狭で且つ主走査方向（図３で紙面と直交する方向）において原稿台２２と略同一長さのガラスからなる透明部４１が設けられている。画像読取部２８において透明部４１が設けられた位置は、給送部２７により給送された原稿Ｄから画像を読み取る読取位置ＲＰとされており、透明部４１の上面側には読取位置ＲＰを通過する原稿Ｄを透明部４１側に押さえ付け可能な押さえ部材４２が設けられている。そして、給送部２７により給送された原稿Ｄが読取位置ＲＰを通過するときには、その読取位置ＲＰにイメージセンサー３９が停止した状態で、透明部４１越しに原稿Ｄから画像を読み取る。
【００３１】
図３に示すように、排出部２９は、画像読取部２８から第２載置部３０に向けて排出される原稿Ｄの通路となる排出経路４３を有している。排出経路４３の下流端には、上流側となる画像読取部２８側から排出経路４３内を搬送されてきた原稿Ｄを表裏両側から挟持して回転することにより、その原稿Ｄを第２載置部３０に排出する排出ローラー対４４が設けられている。
【００３２】
第２載置部３０は、第１載置部２６の下側に設けられ、その上面のほぼ全体が斜面状をなす第２載置面４５に形成されている。すなわち、第２載置面４５は、排出部２９から排出される原稿Ｄの排出方向の下流側に向かって上り勾配となるように傾斜している。この点は、第１載置部２６の第１載置面３１も、給送部２７による画像読取部２８に対する原稿Ｄの給送方向で上流側となる部分の方が下流側となる部分よりも高くなる上り勾配（つまり、第２載置面３１の場合と同様の上り勾配）となるように傾斜している。
【００３３】
図１〜図３に示すように、画像読取装置１３の原稿台カバー２４には、四角環状の周壁構造をなす外装部材４６が第１載置部２６及び第２載置部３０を取り囲むように設けられている。すなわち、外装部材４６は、給送部２７による第１載置部２６から画像読取部２８への原稿Ｄの給送及び排出部２９による画像読取部２８から第２載置部３０への原稿Ｄの排出を可能とする装置の使用状態において、第１載置部２６及び第２載置部３０の側方を非露出状態に覆っている。
【００３４】
また、外装部材４６において、排出部２９による第２載置部３０に対する原稿Ｄの排出方向の下流側に位置する部位の上端縁（換言すると、排出方向と直交する用紙Ｐの幅方向において補助載置部３２と対応する部位の上端縁）には切欠部４７が設けられている。この切欠部４７は、第２載置部３０から原稿Ｄの取り出しを容易にするためのものであり、排出部２９の下流端から第２載置部３０に排出されて第２載置面４５上に載置された状態にある原稿Ｄを第２載置部３０から取り出す場合にユーザーが外装部材４６の外部から手を差し入れる箇所となる。因みに、切欠部４７の大きさに関しては、少なくともユーザーの指一本分が入り、その指で原稿をつまむことができる大きさであればよい。
【００３５】
また、第２載置部３０の第２載置面４５において原稿Ｄの排出方向の下流側となる面部には、第２載置面４５から下方に凹んだ形状の凹み部４８が外装部材４６に形成された切欠部４７と排出方向において連なるように形成されている。この凹み部４８は、排出部２９の下流端から第２載置部３０に排出されて第２載置面４５上に載置された状態にある原稿Ｄの先端部（図３では右端部）の下側に位置し、切欠部４７から差し入れられたユーザーの手の指先を差し入れる箇所となる。なお、第２載置部３０の第２載置面４５において排出部２９による第２載置部３０に対する原稿Ｄの排出方向で最も下流側に位置する面部位は、外装部材４６において排出部２９による第２載置部３０に対する原稿Ｄの排出方向の下流側に位置する部位の上端縁に対し、その上端縁と同じ高さで繋がっている。
【００３６】
次に、上記のように構成された画像読取装置１３及び複合機１１の作用を説明する。
さて、画像読取装置１３は、その装置の使用状態時において第１載置部２６に読取前の原稿Ｄが載置される。そして、このとき図３に示すように、第１載置部２６に載置される原稿Ｄの長さが、補助載置部３２の一面３２ａを含んで構成される第１載置面３１の全体長さよりも短い場合、画像読取装置１３は、補助載置部３２がその一面３２ａを上向きにした通常位置に保持される。例えば、Ａ４サイズなどの標準サイズの原稿Ｄが第１載置部２６の第１載置面３１上に載置される場合が該当する。
【００３７】
この場合、第１載置部２６及び第２載置部３０は、外装部材４６により側方を覆われ、外部に対しては非露出状態とされるため、第１載置部２６及び第２載置部３０が外装部材４６よりも斜め上方に向けて突出する場合と異なり、装置全体の外観を損なうようなことはない。なお、このように補助載置部３２が通常位置にある場合は、装置の不使用状態時にも、第１載置部２６及び第２載置部３０が外装部材４６により側方を覆われて外部には非露出状態とされるため、同様に装置全体の外観の向上を図ることが可能とされる。
【００３８】
また、装置の使用状態時において、排出部２９により画像読取部２８から第２載置部３０に排出された原稿Ｄは、外装部材４６に形成された切欠部４７から手を差し入れることにより、第２載置部３０からの取り出しが容易になる。しかも、第２載置面４５の先端部には、第２載置面４５から下方に凹んだ形状の凹み部４８が切欠部４７と連なるように形成されているため、第２載置面４５から原稿Ｄを取り出すために切欠部４７に差し入れた手の指先を凹み部４８まで更に差し入れることにより、第２載置面４５上に載置されている原稿Ｄの把持が容易になる。
【００３９】
また、第２載置面４５は、排出部２９による原稿Ｄの排出方向の下流側に向かうに従い上り勾配となるように傾斜しているため、排出部２９から第２載置面４５上に排出された原稿Ｄが第２載置面４５から排出方向の下流側に飛び出てしまう虞が低減される。また、上り勾配の斜面である第２載置面４５に複数枚の原稿Ｄが排出された場合、それらの原稿Ｄは斜面である第２載置面４５に沿って排出部２９側に滑り戻ることで、それぞれの端部が揃った積層状態で載置される。
【００４０】
一方、図６に示すように、第１載置部２６に載置される原稿Ｄの長さが補助載置部３２の一面３２ａを含んで構成される第１載置面３１の全体長さよりも長い場合、画像読取装置１３は、補助載置部３２がその一面３２ａとは反対側の他面３２ｂを斜め上方に向くように通常位置から回動変位した展開位置に保持される。例えば、Ａ３サイズなどの大型サイズの原稿Ｄが第１載置部２６の第１載置面３１上に載置される場合が該当する。
【００４１】
そして、図４〜図６に示すように、補助載置部３２が展開位置に変位すると、斜面状の第１載置面３１の最も高い箇所から更に斜め上方に向けて原稿Ｄを載置可能な第１載置面３１が補助載置部３２の他面３２ｂの長さ分だけ延長される。そのため、そのような第１載置面３１の延長部分の上に大型サイズの原稿Ｄの端部が載置される場合には、原稿Ｄの端部が下方の第２載置部３０に向けて垂れることが回避される。
【００４２】
しかも、その場合において、展開位置に変位した補助載置部３２における原稿Ｄの載置面として機能する他面３２ｂは、第１載置面３１において給送部２７による画像読取部２８に対する原稿Ｄの給送方向で上流側の端部となり、第２載置面４５と同様の上り勾配となるように傾斜している。そのため、補助載置部３２の他面３２ｂが水平方向に沿う構成の場合とは異なり、先端に向かうに従い高くなる上り勾配の他面３２ｂであることから、大型サイズの原稿Ｄの端部が補助載置部３２の他面３２ｂの先端から下方に垂れたとしても、その垂れた部分が下方に位置する第２載置面４５に接触する虞が低減される。
【００４３】
なお、本実施形態の画像読取装置１３では、第２載置面４５における排出部２９側の端部（図３では左端部）から凹み部４８までの長さよりも短い長さの原稿Ｄは用いないことが好ましい。なぜなら、そのように短い原稿Ｄの場合は、排出部２９から排出されて第２載置面４５に載置された状態において、凹み部４８に差し入れた指先で原稿Ｄの先端部を把持できないからである。
【００４４】
上記実施形態によれば、以下のような効果を得ることができる。
（１）画像読取装置１３の使用状態においては、第１載置部２６及び第２載置部３０が周壁構造の外装部材４６により側方を覆われ、側面視で非露出状態とされるため、装置全体の外観が損なわれることを抑制できる。
【００４５】
（２）また、画像読取装置１３の使用状態においては、第２載置部３０に排出された原稿Ｄを、外装部材４６に設けられた切欠部４７から手を差し入れることにより、容易に取り出すことができる。したがって、画像読取装置１３の使用状態時における装置全体の外観の向上を原稿Ｄの取り出し易さを担保しつつ図ることができる。
【００４６】
（３）外装部材４６の切欠部４７から差し入れた手の指先を切欠部４７に連なる凹み部４８まで更に差し入れることができるので、第２載置部３０の第２載置面４５に載置されている原稿Ｄを更に容易に取り出すことができる。
【００４７】
（４）排出部２９により第２載置部３０に向けて排出された原稿Ｄは、第２載置面４５が原稿Ｄの排出方向の下流側に向けて上り勾配となるように傾斜しているため、第２載置面４５が水平である場合よりも、排出部２９により排出されたときに第２載置面４５から排出方向の下流側に飛び出してしまう虞を低減できる。
【００４８】
（５）第１載置部２６に載置される原稿Ｄの長さが第１載置面３１の長さよりも長い場合には、補助載置部３２を展開位置に変位させることにより第１載置面３１を延長できるため、そのように長い原稿Ｄの端部が第１載置面３１の先端から下方に位置する第２載置部３０側に垂れる虞を低減できる。
【００４９】
（６）補助載置部３２を展開位置にすると、その補助載置部３２の他面３２ｂで構成される第１載置面３１の延長部分は先端側に向けて上り勾配の斜面となるため、そのように延長された第１載置面３１の先端部とその下側に位置する第２載置部３０の第２載置面４５との距離を、第１載置面３１の延長部分が水平な場合よりも大きく確保できる。そのため、長い原稿Ｄの端部が第１載置面３１の先端部から下方に垂れたとしても、その垂れた原稿Ｄの端部が第２載置面４５に接触する可能性を低減でき、その原稿Ｄの給送時の負荷が増えることを抑制できるので、画像読取精度に悪影響を与える虞を低減できる。
【００５０】
（７）ユーザーの手を差し入れ可能とする切欠部４７は、外装部材４６において複合機１１の正面側となる前面側には形成されず、その外装部材４６において排出部２９による第２載置部３０に対する原稿Ｄの排出方向の下流側に位置する部位に形成されるため、正面側からの装置全体の外観が切欠部４７で損なわれることもない。
【００５１】
（８）第２載置面４５において原稿Ｄの排出方向で最も下流側に位置する面部位が外装部材４６の上端縁に対し同じ高さで繋がっているので、排出部２９により第２載置部３０に排出されて第２載置面４５に載置されている原稿Ｄを第２載置部３０から取り出す際において、原稿Ｄが外装部材４６の上端縁に引っ掛かることを抑制できる。
【００５２】
なお、上記実施形態は以下のように変更してもよい。
・図７及び図８に示す第１変形例のように、補助載置部３２が通常位置（図７の位置）から展開位置（図８の位置）に回動変位した場合に、第１載置部２６において補助載置部３２の他面３２ｂにて構成される第１載置面３１の延長部分と、第２載置部３０における第２載置面４５の先端部分とが平行となるようにしてもよい。なお、第１変形例における外装部材４６にも外部からユーザーの手を差し入れ可能な切欠部４７が形成されている。
【００５３】
・図９及び図１０に示す第２変形例のように、第１載置部２６の先端に補助載置部３２を設けずに第２載置部３０の先端に補助載置部３２を回動変位可能に設けてもよい。この場合には、その補助載置部３２が通常位置（図９の位置）から展開位置（図１０の位置）に回動変位したときに、第２載置部３０において補助載置部３２で構成される第２載置面４５の延長部分と、第１載置部２６における第１載置面３１とが平行となる。
【００５４】
なお、第２変形例においては、補助載置部３２が鉛直方向に沿う状態となる通常位置のときに、その補助載置部３２が第１載置部２６及び第２載置部３０の側方を非露出状態に覆う外装部材４６として機能する。そのため、載置面を延長させる機能及び外装部材４６としての機能を有する補助載置部３２には、その補助載置部３２が通常位置にあるときに外部からユーザーの手を差し入れ可能な切欠部４７が形成されている。
【００５５】
・図１１及び図１２に示す第３変形例のように、第２載置部３０の先端に外装部材４６を立設し、その第２載置部３０における外装部材４６が立設されたパーツを水平なレール４９に沿ってスライド移動させることで第２載置面４５を延長できるようにしてもよい。なお、この第３変形例における外装部材４６にも外部からユーザーの手を差し入れ可能な切欠部４７が形成されている。
【００５６】
・画像読取装置１３と共に複合機１１に含まれる記録装置１２は、インクジェット式のプリンターに限らず、トナーなどを記録材に用いて記録を行うレーザープリンターなどの他のタイプの記録装置であってもよい。
【００５７】
・画像読取装置１３は、記録装置１２と共に複合機１１に含まれる構成に限らず、その画像読取装置１３が単体で存在する製品構成であってもよい。
・第１載置面３１を延長させる機能を有する補助載置部３２を備えない構成でもよい。
【００５８】
・補助載置部３２は、通常位置から展開位置に変位したときに先端側が上り勾配となるように傾斜する構成に限らず、展開位置で水平方向に長く延びる構成であってもよい。
・第２載置部３０の第２載置面４５の端部に形成される凹み部４８は無くてもよい。
【００５９】
・第２載置部３０の第２載置面４５において排出部２９による第２載置部３０に対する原稿Ｄの排出方向で最も下流側に位置する面部位は、外装部材４６において排出部２９による第２載置部３０に対する原稿Ｄの排出方向の下流側に位置する部位の上端縁よりも低い位置で外装部材４６の内側に繋がっていてもよい。
【００６０】
・上記実施形態において、記録装置は、インク以外の他の流体（液体や、機能材料の粒子が液体に分散又は混合されてなる液状体、ゲルのような流状体、流体として流して噴射できる固体を含む）を記録材として噴射したり吐出したりして記録を行う記録装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う記録装置であってもよい。また、ゲル（例えば物理ゲル）などの流状体を噴射して記録を行う記録装置、トナーなどの粉体（粉粒体）を例とする固体を噴射して記録を行う記録装置（例えばトナージェット式記録装置）であってもよい。そして、これらのうちいずれか一種の記録装置に本発明を適用することができる。なお、本明細書において「流体」とは、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００６１】
１１…複合機、１２…記録装置、１３…画像読取装置、２２…原稿台、２３…装置本体、２４…原稿台カバー、２５…ＡＤＦ、２６…第１載置部、２７…給送部、２８…画像読取部、２９…排出部、３０…第２載置部、３１…第１載置面、３２…補助載置部、３２ａ…一面、３２ｂ…他面、３３…給送経路、３４…分離ローラー、３５…中継ローラー、３６…給送ローラー、３７…レール、３８…キャリッジ、３９…イメージセンサー、４０…白板部、４１…透明部、４２…押さえ部材、４３…排出経路、４４…排出ローラー対、４５…第２載置面、４６…外装部材、４７…切欠部、４８…凹み部、Ｄ…原稿、ＲＰ…読取位置。
【図１】
2017118458.tif 000003
【図２】
2017118458.tif 000004
【図３】
2017118458.tif 000005
【図４】
2017118458.tif 000006
【図５】
2017118458.tif 000007
【図６】
2017118458.tif 000008
【図７】
2017118458.tif 000009
【図８】
2017118458.tif 000010
【図９】
2017118458.tif 000011
【図１０】
2017118458.tif 000012
【図１１】
2017118458.tif 000013
【図１２】
2017118458.tif 000014